(57)【特許請求の範囲】
【請求項１】
住宅の物品類受け取り装置において、
当該物品類受け取り装置を制御することが可能なホームサーバーと、
該ホームサーバーの指令により解除可能とされた錠を有する門扉と、
該門扉及び塀に囲まれた場所に設けられ、前記ホームサーバーの指令により錠が解除又は施錠可能とされた扉を有する物品類収納手段と、
前記ホームサーバーと接続され、来訪者が所持するＩＤカードの内容を読み取るＩＤカード読み取り手段と、を備え、
前記ホームサーバーは、
前記ＩＤカード読み取り手段から前記来訪者が所持するＩＤカードの内容を取り込む手段と、
該取り込む手段で取り込んだ前記ＩＤカードの内容に基づき、前記来訪者が、前記物品類収納手段の扉の錠解除可能人物又は前記門扉の錠解除可能人物であるかを確認する手段と、
該確認する手段で前記来訪者が前記錠解除可能人物であると確認した場合に、前記門扉の錠を解除可能とする門扉錠解除手段と、
前記取り込む手段で取り込んだ前記ＩＤカードの内容を前記ホームサーバーで処理し、一定条件の下で前記物品類収納手段の扉の錠を解除、解除しない、又は施錠する手段と、を備えたことを特徴とする物品類受け取り装置。
【請求項２】
住宅の物品類受け取り装置において、
当該物品類受け取り装置を制御することが可能なホームサーバーと、
該ホームサーバーの指令により解除可能とされた錠を有する門扉と、
該門扉及び塀に囲まれた場所に設けられ、前記ホームサーバーの指令により錠が解除又は施錠可能とされた扉を有する物品類収納手段と、
前記ホームサーバーと接続され、来訪者が所持する前記ＩＤカードの内容を読み取るＩＤカード読み取り手段と、を備え、
前記ホームサーバーは、
前記ＩＤカード読み取り手段から前記来訪者が所持するＩＤカードの内容を取り込み、該取り込んだ前記ＩＤカードの内容に、前記来訪者が所定の団体の構成員であることを確認する情報が含まれている場合に、前記ホームサーバーがインターネットで前記所定の団体のサーバーと交信することにより前記ＩＤカードが前記物品類収納手段の扉の錠解除可能人物又は前記門扉の錠解除可能人物のものかを確認する確認手段と、
該確認手段で前記ＩＤカードが前記錠解除可能人物のものと確認された場合に、前記門扉の錠を解除可能とする門扉錠解除手段を備えたことを特徴とする物品類受け取り装置。
【請求項３】
前記ホームサーバーは、前記取り込んだ前記ＩＤカードの内容を前記ホームサーバーで処理し、一定条件の下で前記物品類収納手段の扉の錠を解除、解除しない、又は施錠する手段と、を更に備えたことを特徴とする請求項２記載の物品類受け取り装置。
【請求項４】
前記ホームサーバーと接続された情報を送受信する通信手段と、
前記ホームサーバーとの間で情報を送受信することができる外部端末と、を更に備え、
前記ホームサーバーは、
前記通信手段により、前記来訪者が来訪した際に前記外部端末を呼び出して前記来訪者が来訪したという情報を発信する手段と、
前記来訪者が来訪したという情報及び前記来訪者の映像をインターネットで前記外部端末に送る手段と、
前記外部端末からの指令により前記物品類収納手段の扉の錠を解除する手段と、を備えることを特徴とする請求項１又は２記載の物品類受け取り装置。
【請求項５】
前記ホームサーバーと接続された情報を送受信する通信手段と、
前記ホームサーバーとの間で情報を送受信することができる外部端末と、を更に備え、
前記ホームサーバーは、
前記通信手段により、前記来訪者が来訪した際に前記外部端末を呼び出して前記来訪者が来訪したという情報を発信する手段と、
前記来訪者が来訪したという情報，前記来訪者が前記錠解除可能人物であるという情報及び前記来訪者の映像をインターネットで前記外部端末に送る手段と、
前記外部端末からの指令により前記物品類収納手段の扉の錠を解除する手段と、を備えることを特徴とする請求項１又は２記載の物品類受け取り装置。
【請求項６】
前記ホームサーバーと接続された情報を送受信する通信手段と、
前記ホームサーバーとの間で情報を送受信することができる外部端末と、を更に備え、
前記ホームサーバーは、
前記通信手段により、前記来訪者が来訪した際に前記外部端末を呼び出して前記来訪者が来訪したという情報を発信する手段と、
前記来訪者が来訪したという情報及び前記来訪者の映像をインターネットで前記外部端末に送る手段と、
前記外部端末からの指令により前記物品類収納手段の扉の錠を解除する手段と、
前記物品類収納手段に荷物が収納されたという情報をインターネットで前記外部端末に送る手段と、
前記外部端末からの指令に従って前記ＩＤカードに荷物を受領した旨を確認登録する手段と、を備えることを特徴とする請求項１又は２記載の物品類受け取り装置。
【発明の詳細な説明】
【０００１】
【発明の属する技術分野】
本発明は物品類受け取り装置に係り、特に来訪者と直接対面することなく、住宅に配達される宅配便荷物を自動又は遠隔地からの操作により受け取ることができる物品類受け取り装置に関する。
【０００２】
【従来の技術】
近来荷物や郵便などの配送はごく一般的に行われている。しかしそれと同時に人々が家庭外に出る機会も多くなり、必然的に家を留守にすることが増えつつある。また、居住者が在宅中であっても、作業中で手を離せない時やドアホンの呼び出し音が届かない庭先等にいる時に荷物が配達される場合もある。そのため、居住者が不在の住宅に荷物の宅配があった場合に所定のプログラムに従って自動的に荷物を預かるシステムについて種々工夫がなされている。
【０００３】
従来の、居住者の不在時等に自動的に荷物を預かるシステムとしては、例えば、宅配業者が専用の識別用の鍵を宅配物預かりロッカーシステムの所定の場所に挿入すると、鍵読取装置はその宅配業者が正規の宅配業者であることを認識しロッカーが開錠されされる仕組みになっているものがある。かかるシステムでは、宅配業者がロッカーの中に宅配物を入れた後、ドアを閉めると自動的に施錠される仕組みとなっている。
【０００４】
【発明が解決しようとする課題】
しかし、上記従来の宅配物預かりロッカーシステムでは、正規の宅配業者ではない第３者によるいたずら防止の目的で、通常、専用の鍵を持った宅配業者しか利用できないようになっている。これは、防犯上の利点があるものの、宅配業者は予め宅配先に応じた専用の鍵を持つための手続きを行う必要があり、大変不便である。
【０００５】
かかる問題点を解決するために、宅配業者の運転免許証を上記識別用の鍵の代わりに用いるシステムが提案されているが（特開平５−１７０２８４）、かかるシステムによれば、宅配業者自身のプライバシーを守れないおそれがある。
【０００６】
そこで、上記課題に鑑み、本発明の目的は、居住者が不在等の住宅に宅配便荷物が配達される場合に、来訪者が正規の宅配業者であることを速やかに確認できる物品類受け取り装置を提供することにある。
【０００７】
また、本発明の他の目的は、居住者が不在等の住宅に配達される宅配便荷物等を受け取る物品類受け取り装置であって、遠隔地からの居住者の操作により宅配便荷物を受け取ることができ、その遠隔地からの操作は、一般の人が通常所有しているような汎用性のある装置を用いてすることができる物品類受け取り装置を提供することにある。
【０００８】
【課題を解決するための手段】
上記課題は、請求項１に係る発明によれば、住宅の物品類受け取り装置において、当該物品類受け取り装置を制御することが可能なホームサーバーと、該ホームサーバーの指令により解除可能とされた錠を有する門扉と、該門扉及び塀に囲まれた場所に設けられ、前記ホームサーバーの指令により錠が解除又は施錠可能とされた扉を有する物品類収納手段と、前記ホームサーバーと接続され、来訪者が所持するＩＤカードの内容を読み取るＩＤカード読み取り手段と、を備え、前記ホームサーバーは、前記ＩＤカード読み取り手段から前記来訪者が所持するＩＤカードの内容を取り込む手段と、該取り込む手段で取り込んだ前記ＩＤカードの内容に基づき、前記来訪者が、前記物品類収納手段の扉の錠解除可能人物又は前記門扉の錠解除可能人物であるかを確認する手段と、該確認する手段で前記来訪者が前記錠解除可能人物であると確認した場合に、前記門扉の錠を解除可能とする門扉錠解除手段と、前記取り込む手段で取り込んだ前記ＩＤカードの内容を前記ホームサーバーで処理し、一定条件の下で前記物品類収納手段の扉の錠を解除、解除しない、又は施錠する手段と、を備えたことにより解決される。
【０００９】
上記課題は、請求項２に係る発明によれば、住宅の物品類受け取り装置において、当該物品類受け取り装置を制御することが可能なホームサーバーと、該ホームサーバーの指令により解除可能とされた錠を有する門扉と、該門扉及び塀に囲まれた場所に設けられ、前記ホームサーバーの指令により錠が解除又は施錠可能とされた扉を有する物品類収納手段と、前記ホームサーバーと接続され、来訪者が所持する前記ＩＤカードの内容を読み取るＩＤカード読み取り手段と、を備え、前記ホームサーバーは、前記ＩＤカード読み取り手段から前記来訪者が所持するＩＤカードの内容を取り込み、該取り込んだ前記ＩＤカードの内容に、前記来訪者が所定の団体の構成員であることを確認する情報が含まれている場合に、前記ホームサーバーがインターネットで前記所定の団体のサーバーと交信することにより前記ＩＤカードが前記物品類収納手段の扉の錠解除可能人物又は前記門扉の錠解除可能人物のものかを確認する確認手段と、該確認手段で前記ＩＤカードが前記錠解除可能人物のものと確認された場合に、前記門扉の錠を解除可能とする門扉錠解除手段を備えたことにより解決される。
【００１０】
このとき、前記ホームサーバーは、前記取り込んだ前記ＩＤカードの内容を前記ホームサーバーで処理し、一定条件の下で前記物品類収納手段の扉の錠を解除、解除しない、又は施錠する手段と、を更に備えたように構成すると好適である。
【００１１】
また、前記ホームサーバーと接続された情報を送受信する通信手段と、前記ホームサーバーとの間で情報を送受信することができる外部端末と、を更に備え、前記ホームサーバーは、前記通信手段により、前記来訪者が来訪した際に前記外部端末を呼び出して前記来訪者が来訪したという情報を発信する手段と、前記来訪者が来訪したという情報及び前記来訪者の映像をインターネットで前記外部端末に送る手段と、前記外部端末からの指令により前記物品類収納手段の扉の錠を解除する手段と、を備えるように構成すると好適である。
【００１２】
また、前記ホームサーバーと接続された情報を送受信する通信手段と、前記ホームサーバーとの間で情報を送受信することができる外部端末と、を更に備え、前記ホームサーバーは、前記通信手段により、前記来訪者が来訪した際に前記外部端末を呼び出して前記来訪者が来訪したという情報を発信する手段と、前記来訪者が来訪したという情報，前記来訪者が前記錠解除可能人物であるという情報及び前記来訪者の映像をインターネットで前記外部端末に送る手段と、前記外部端末からの指令により前記物品類収納手段の扉の錠を解除する手段と、を備えるように構成すると好適である。
【００１３】
更に、前記ホームサーバーと接続された情報を送受信する通信手段と、前記ホームサーバーとの間で情報を送受信することができる外部端末と、を更に備え、前記ホームサーバーは、前記通信手段により、前記来訪者が来訪した際に前記外部端末を呼び出して前記来訪者が来訪したという情報を発信する手段と、前記来訪者が来訪したという情報及び前記来訪者の映像をインターネットで前記外部端末に送る手段と、前記外部端末からの指令により前記物品類収納手段の扉の錠を解除する手段と、前記物品類収納手段に荷物が収納されたという情報をインターネットで前記外部端末に送る手段と、前記外部端末からの指令に従って前記ＩＤカードに荷物を受領した旨を確認登録する手段と、を備えるように構成すると好適である。
【００１４】
【発明の実施の形態】
本発明は住宅の物品類受け取り装置に関する発明である。本発明に係る住宅の物品類受け取り装置は、物品類受け取り装置を制御することができるホームサーバー３１と、ホームサーバー３１の指令により解除可能とされた錠７を有する門扉６と、門扉６及び塀９に囲まれた場所に設けられ、ホームサーバー３１の指令により錠が解除され、又は施錠される扉１８を有する物品類収納手段と、ホームサーバー３１と接続され、来訪者が所持するＩＤカードの内容を読み取るＩＤカード読み取り手段１４を主要構成要素とする。
【００１５】
ホームサーバー３１は、ＩＤカード読み取り手段１４から来訪者が所持するＩＤカードの内容を取り込む手段と、取り込む手段で取り込んだＩＤカードの内容に基づき、来訪者が、物品類収納手段の扉の錠解除可能人物又は門扉の錠解除可能人物であるかを確認する手段と、確認する手段で来訪者が錠解除可能人物であると確認した場合に、門扉６の錠７を解除可能とする門扉錠解除手段と、取り込む手段で取り込んだＩＤカードの内容を前記ホームサーバー３１で処理し、一定条件の下で物品類収納手段の扉１８の錠を解除し、解除しない、又は施錠する手段と、を備える。
【００１６】
このように構成することにより、物品類収納手段１８が門扉６及び塀９に囲まれた場所に設けられる場合に、住宅の居住者が外出中等であって来訪者に応対することができない場合であっても、第三者によるいたずら等を排除して、居住者が門扉６及び塀９の内側に入れたい来訪者のみを門扉６及び塀９の内側に入れることができる。
また、住宅の居住者が外出中や作業中等であって、玄関１９で来訪者に直接応対することができない場合であっても、第三者によるいたずら等を排除して、居住者が受け取りたい来訪者からの荷物等のみを受け取ることができる。
【００１７】
また、本発明に係る住宅の物品類受け取り装置の他の構成として、物品類受け取り装置を制御することができるホームサーバー３１と、ホームサーバー３１の指令により解除可能とされた錠７を有する門扉６と、門扉６及び塀９に囲まれた場所に設けられ、ホームサーバー３１の指令により錠が解除され、又は施錠される扉１８を有する物品類収納手段と、ホームサーバー３１と接続され、来訪者が所持するＩＤカードの内容を読み取るＩＤカード読み取り手段１４を主要構成要素とする。
【００１８】
このとき、ホームサーバー３１は、ＩＤカード読み取り手段１４から来訪者が所持するＩＤカードの内容を取り込み、取り込んだＩＤカードの内容に、来訪者が所定の団体の構成員であることを確認する情報が含まれている場合に、ホームサーバー３１がインターネット３７で所定の団体のサーバー３８と交信することによりＩＤカードが物品類収納手段の扉の錠解除可能人物又は門扉の錠解除可能人物のものかを確認する確認手段と、確認手段でＩＤカードが錠解除可能人物のものと確認された場合に、門扉６の錠７を解除可能とする門扉錠解除手段を備える。
【００１９】
このように構成することにより、ホームサーバー３１に来訪者が所定の団体の構成員であるかを確認する情報さえプログラムされていれば、ＩＤカードが物品類収納手段の扉１８の錠２４を解除させることができる人物又は門扉６の錠７を解除させることができる人物のものかは所定の団体のサーバー３８と交信することにより照合できるので、ホームサーバー３１は物品類収納手段の扉１８の錠２４を解除させることができる人物又は門扉６の錠７を解除させることができる人物の多くを認識できることとなる。
【００２０】
このとき、ホームサーバーは、取り込んだＩＤカードの内容をホームサーバーで処理し、一定条件の下で物品類収納手段の扉の錠を解除、解除しない、又は施錠する手段と、を更に備える。
このように構成することにより、住宅の居住者が外出中や作業中等であって、玄関１９で来訪者に直接応対することができない場合であっても、第三者によるいたずら等を排除して、居住者が受け取りたい来訪者からの荷物等のみを受け取ることができる。
【００２１】
ホームサーバー３１と接続された情報を送受信する通信手段３５，３６と、ホームサーバー３１との間で情報を送受信することができる外部端末３９，４０と、を更に備え、ホームサーバー３１は、通信手段３６により、来訪者が来訪した際に外部端末３９を呼び出して来訪者が来訪したという情報を発信する手段と、来訪者が来訪したという情報及び来訪者の映像をインターネット３７で外部端末４０に送る手段と、外部端末４０からの指令により物品類収納手段の扉１８の錠２４を解除する手段と、を備える。
このように構成することにより、住宅の居住者が外出中又は作業中等であって来訪者に直接応対することができない場合であっても、外部端末３９、４０から物品類受け取り装置を遠隔操作することができ、第三者によるいたずら等を排除して、居住者が受け取りたい来訪者からの荷物のみを本人の判断により受け取ることができる。
また、外出中の居住者は、外部端末３９を身の回りに所持する限り、住宅に来訪者が来たことを認知することができる。
外出中の居住者は、インターネットの端末のある場所で住宅への来訪者の映像を見ることができ、来訪者が誰であるかを確認することができる。
【００２２】
また、ホームサーバー３１と接続された情報を送受信する通信手段３５，３６と、ホームサーバー３１との間で情報を送受信することができる外部端末３９，４０と、を更に備え、ホームサーバー３１は、通信手段３６により、来訪者が来訪した際に外部端末３９を呼び出して来訪者が来訪したという情報を発信する手段と、来訪者が来訪したという情報，来訪者が錠解除可能人物であるという情報及び来訪者の映像をインターネット３７で外部端末４０に送る手段と、外部端末４０からの指令により物品類収納手段の扉１８の錠２４を解除する手段と、を備える。
このように構成することにより、住宅の居住者が外出中又は作業中等であって来訪者に直接応対することができない場合であっても、外部端末３９、４０から物品類受け取り装置を遠隔操作することができ、第三者によるいたずら等を排除して、居住者が受け取りたい来訪者からの荷物のみを本人の判断により受け取ることができる。
また、外出中の居住者は、外部端末３９を身の回りに所持する限り、住宅に来訪者が来たことを認知することができる。
外出中の居住者は、インターネットの端末のある場所で住宅への来訪者の映像を見ることができ、来訪者が誰であるかを確認することができる。
【００２３】
ホームサーバー３１と接続された情報を送受信する通信手段３５，３６と、ホームサーバー３１との間で情報を送受信することができる外部端末３９，４０と、を更に備え、ホームサーバー３１は、通信手段３６により、来訪者が来訪した際に外部端末３９を呼び出して来訪者が来訪したという情報を発信する手段と、来訪者が来訪したという情報及び来訪者の映像をインターネット３７で外部端末４０に送る手段と、外部端末４０からの指令により物品類収納手段の扉１８の錠２４を解除する手段と、物品類収納手段１８に荷物が収納されたという情報をインターネット３７で外部端末４０に送る手段と、外部端末４０からの指令に従ってＩＤカードに荷物を受領した旨を確認登録する手段と、を備える。
このように構成することにより、住宅の居住者が外出中又は作業中等であって来訪者に直接応対することができない場合であっても、外部端末３９、４０から物品類受け取り装置を遠隔操作することができ、第三者によるいたずら等を排除して、居住者が受け取りたい来訪者からの荷物のみを本人の判断により受け取ることができる。
また、外出中の居住者は、外部端末３９を身の回りに所持する限り、住宅に来訪者が来たことを認知することができる。
外出中の居住者は、インターネットの端末のある場所で住宅への来訪者の映像を見ることができ、来訪者が誰であるかを確認することができる。
住宅の居住者が外出中等であっても、本人の判断で来訪者に荷物を受け取りの証明を渡すことができる。
【００２４】
【実施例】
以下、本発明の一実施例を図面に基づいて説明する。なお、以下に説明する部材，配置等は本発明を限定するものでなく、本発明の趣旨の範囲内で種々改変することができるものである。
本例に係る物品類受け取り装置は、図1及び図２に示すように、門扉の錠を解除する装置として用いられる門扉ボックス１、門扉の錠としての門扉錠７、ＩＤカード読み取り手段を含む玄関ボックス１１、物品類収納手段の扉としてのシャッター１８、ホームサーバー３１、外部端末との間で情報を送受信する通信手段としての電話回線３６、通信手段３５、所定の団体のサーバーとしての宅配業者サーバー３８、外部端末としてのＰＨＳ３９、外部端末としてのデスクコンピュータ４０を主要構成要素とする。
【００２５】
門扉ボックス１は、家屋８の周りに設けられた塀９の側面上であって、門扉６に近接した場所に取り付けられる。図３（ａ）に示すように、門扉ボックス１には「在宅中」、「不在」等の表示を行う液晶表示部２、ＩＤカード等を差し込むためのカード差込スロット３、門扉錠７を解除するためのキー解除ボタン４、来訪者が暗証番号を入力するためのテンキー５が取り付けられる。門扉ボックス１に取り付けられた液晶表示部２、カード差込スロット３、キー解除ボタン４、テンキー５は、配線によりホームサーバー３１の制御インターフェース３２に接続される。
【００２６】
カード差込スロット３は、来訪者の身分確認の必要がある時、その来訪者が門扉錠７を解除させることができる人物であるかを確認する装置として機能する。来訪者がＩＤカードをカード差込スロット３に差し込むと、ＩＤカードに書き込まれた情報がカード差込スロット３で読み取られる。ＩＤカード等の読み取り情報は制御インターフェース３２を介してＣＰＵ部３４に送られ、ＣＰＵ部３４でその後の処理がされる。
【００２７】
ここで、ＩＤカードとしては、ＩＣカードを用いる。なお、多くの情報を記録することができるためＩＣカードを用いることが望ましいが、これに限定されるものでなく、ＩＤカードとして磁気カード、ＰＣカード等を用いてもよい。
【００２８】
門扉錠７は門扉６に取り付けられ、門扉錠７により門扉６は施錠又は錠が解除される。門扉錠７は、配線によりキー解除ボタン４に接続され、キー解除ボタン４が作動状態にあるときにキー解除ボタン４が押されると、門扉錠７が解除される仕組みになっている。
【００２９】
テンキー５は、来訪者が門扉錠７を解除するための暗証番号を入力するために用いられる。このように構成することにより、住宅の居住者が外出中等であって来訪者に応対することができない場合であっても、ＩＤカードを持たない知人等を門扉６及び塀９の内側に入れることができる。
【００３０】
玄関ボックス１１は家屋８の外壁上であって、玄関１９に近接した場所に取り付けられる。図３（ｂ）に示すように、玄関ボックス１１には来訪者の姿を写すためのＴＶカメラ１２、来訪者へのメッセージ等を表示する液晶表示部１３、ＩＤカード読取手段としてのＩＤカード等を差し込むためのカード差込スロット１４、インターホン１５、警告音を発する報知装置２１が取り付けられる。
【００３１】
カード差込スロット１４にはセンサーが設けられる。ＩＤカードがカード差込スロット１４に差し込まれると、センサーはカードが差し込まれたことを感知してＴＶカメラ１２が作動し、来訪者の撮影がされるように構成されている。
【００３２】
インターホン１５には、来訪者が来訪を家屋８内の居住者に知らせるためベルを鳴らすドアホンボタン１６、来訪者が家屋８内の居住者と通話するためのスピーカーマイク１７が取り付けられる。玄関ボックス１１に取り付けられたＴＶカメラ１２、液晶表示部１３、カード差込スロット１４、ドアホンボタン１６、スピーカーマイク１７、報知装置２１は、配線によりホームサーバー３１の制御インターフェース３２に接続される。
【００３３】
報知装置２１は、来訪者がシャッター１８の内部に荷物を置かない場合やシャッター１８を閉めない場合等に警告音を発し、来訪者に注意を促す様に構成されている。これらの場合に液晶表示部１３は、「荷物を収納して下さい」、「シャッターを閉めて下さい」等、警告の内容を表示するように構成されている。ここで、本例では警告音としてブザーを用いるが、これに限定されるものでなく、チャイム、液晶表示部１３で表示された文言の音声等でも良い。
【００３４】
物品類収納手段の扉としての本例におけるシャッター１８は家屋８の外壁上であって、玄関１９及び玄関ボックス１１に近接した場所に取り付けられる。シャッター１８は高さ約２ｍ、横約１ｍの大きさであり、通常の車庫等に用いるアルミニウム製のシャッターを用いる。尚、本例では物品類収納手段の扉として巻き上げて開けるシャッターを用いるが、片開き式の扉、観音開き式の扉、引き戸状の扉等を用いてもよい。
【００３５】
シャッター１８は配線によってホームサーバー３１の制御インターフェース３２に接続される。シャッター１８はシャッター錠２４が設けられ、シャッター錠２４はホームサーバー３１からの指令により施錠又は解除される。
【００３６】
シャッター１８の内側にはもう一つの内扉が設けられ、この内扉とシャッター１８は二重扉を形成している。この内扉とシャッター１８及び２面の壁に囲まれるスペースは、高さ約２ｍ、横約１ｍ（壁−壁）、奥行き約１ｍ（内扉−シャッター１８）の広さである。内扉は家屋８の内側から施錠され、来訪者はこの内扉の錠を解除できないように構成されている。
【００３７】
なお、物品類収納手段はこのような二重扉式のシャッター１８に限定されるものでなく、玄関１９のドアに取り付けられたポケット状のボックスとしてもよい。この場合、ボックスはホームサーバー３１からの指令により施錠又は解除される錠が設けられ、この錠が解除された時に玄関１９の外側から物品類の収納及び取り出しができるように構成される。
【００３８】
また、本例における物品類収納手段は図１に示すように玄関１９と異なる場所にシャッター１８として設けているが、玄関１９を、内側に更にもう一つの施錠できる内扉が設けられた二重扉式の構造とし、玄関１９のドアとその内扉の間の空間を物品類収納手段としてもよい。
【００３９】
不在表示スイッチ２０は家屋８内に設けられる。不在表示スイッチ２０は制御インターフェース３２を介してＣＰＵ部３４に接続される。不在表示スイッチ２０をオンにすると門扉ボックス１１の液晶表示部２に居住者が不在である旨の表示がされる。一方、不在表示スイッチ２０をオフにすると門扉ボックス１１の液晶表示部２に居住者が在宅中である旨の表示がされる。
【００４０】
なお、不在表示スイッチ２０はホームサーバー３１に含まれる構成としてもよい。この際、ホームサーバー３１の入力部４３の画面上のタッチパネルでスイッチを切り替える構成としてもよい。
【００４１】
ホームサーバー３１は家屋８内に取り付けられ、家庭内情報の受発信窓口、家庭内情報処理の基幹装置としての役割を果たす。ホームサーバー３１は制御インターフェース３２、４８、記憶部３３、入力部４３、ＣＰＵ部３４、通信手段３５、電話回線制御インターフェース４２、ダイヤル発信部４４、音声制御部４５、回線制御部４６、タイマー４７を有する。
【００４２】
制御インターフェース３２は、配線によりシャッター開閉検出センサー２２、物品収納検出センサー２３、玄関シャッター１８、玄関ボックス１１、門扉錠７、門扉ボックス１、不在表示スイッチ２０に接続される。制御インターフェース３２は、シャッター開閉検出センサー２２、物品収納検出センサー２３、玄関シャッター１８、玄関ボックス１１、門扉錠７、門扉ボックス１、不在表示スイッチ２０からの情報をＣＰＵ部３４に取り込み、またＣＰＵ部３４からの信号を玄関シャッター１８、玄関ボックス１１、門扉錠７、門扉ボックス１に出力する。
【００４３】
シャッター開閉検出センサー２２はシャッター１８の下端部に設けられ、シャッター１８が開いているかを検出する。物品検出センサー２３はシャッター１８内部の物品類収納手段の底部に設けられ、シャッター１８内部の所定場所に物品が収納されたかを検出する。本例の物品検出センサー２３は、該センサー２３の上に置かれた荷物の重量を検知するセンサーを用いるが、これに限定されるものではなく、光センサー等を用いても良い。この際、重量を検出するセンサーでは、所定時間、例えば５秒間荷物の重量が検知された場合に荷物が置かれたことを検知するように設定するとよい。また、光センサーでは、所定時間、例えば５秒間光が遮られた場合に荷物が置かれたことを検知するように設定するとよい。
【００４４】
記憶部３３はＣＰＵ部３４に接続され、ＣＰＵ部３４が処理する画像、機器作動状況等の情報をＣＰＵ部３３から受け取って記憶する。また、予め記憶されている機器作動プログラム等の情報をＣＰＵ部３４に出力する。
【００４５】
入力部４３はＣＰＵ部３４に接続される。入力部４３は、ホームサーバー３１の設定を入力するために用いられる。例えば、門扉錠７を解除するためのテンキー５の暗証番号を設定するために入力部４３は用いられる。
【００４６】
ダイヤル発信部４４、音声合成部４５、回線制御部４６は、ＣＰＵ部３４と接続される。ダイヤル発信部４４、音声合成部４５、回線制御部４６は更に、電話回線制御インターフェース４２、制御インターフェース４８と接続される。ダイヤル発信部４４は、ＣＰＵ部３４からの指令に従って電話回線３６に電話をかけさせ、通信手段３５をプロバイダー４１に接続する機能を有する。
【００４７】
音声合成部４５は、ＣＰＵ部３４からの指令に従って対応するガイダンス・メッセージのデータを発生し、音声に変換する機能、音声に変換した信号を規定の音圧レベルになるように増幅し、電話回線３６及び通信手段３５へ送出する機能を有する。音声合成部４５で合成された音声は、ＰＨＳ３９、デスクコンピュータ４０へ送信され、ＰＨＳ３９、デスクコンピュータ４０側で外出中等の居住者が聞くこととなる。回線制御部４６は、ＣＰＵ部３４からの指令を受信し、制御インターフェース４８、電話回線インターフェース４２に対して制御を行う機能を有する。
【００４８】
ＣＰＵ部３４には、タイマー４７が接続される。本例においては、タイマー４７により、シャッター１８の施錠を解除してから所定時間が経過したか、荷物を受領した旨の情報を通信手段３５が発信してから所定時間が経過したかを測定する。
【００４９】
すなわち、シャッター１８の施錠を解除してから所定時間、例えば１分が経過しても来訪者が所定場所に荷物を置かない場合は、物品検出センサー２３とタイマー４７との組み合わせにより荷物が所定時間内に置かれないことが検出される。ＣＰＵ部３４の指令により報知装置２１が警告音を発し、液晶表示部１３に荷物を置くことを要求する指示が表示される。このように構成することにより、来訪者による荷物の置き損ないを防止することができる。
【００５０】
また、物品収納検出センサー２３が荷物が置かれたことを検知してから所定時間、例えば２分間が経過しても来訪者がシャッター１８を閉めない場合は、シャッター開閉検出センサー２２とタイマー４７との組み合わせによりシャッター１８が所定時間内に閉められないことが検出される。このとき、ＣＰＵ部３４の指令により報知装置２１が警告音を発し、液晶表示部１３にシャッター１８を閉めることを要求する指示が表示される。このように構成することにより、来訪者によるシャッター１８の閉め忘れを防止することができる。
【００５１】
更に、荷物を受領した旨の情報を通信手段３５が送信してから所定時間が経過しても外出中の居住者が受領ボタンをクリックしない場合は、通信手段３５とタイマー４７との組み合わせにより所定時間内に受領ボタンがクリックされないことが検出される。ＣＰＵ部３４の指令により通信手段３５から受領ボタンをクリックすることを要求する指示が表示される。このように構成することにより、外出先の居住者による受領ボタンのクリックのし忘れを防止することができる。なお、タイマー４７は時間設定を自由に変更することができる。
【００５２】
ホームサーバー３１の記憶部３３には、住宅の敷地内の管理情報に関する情報が記憶されている。カード差し込みスロット３、１４に差し込まれたＩＤカードに関する情報、テンキー５の暗証番号入力に関する情報、デスクコンピュータ４０で入力された指令とを参照しながら、この記憶部３３とＣＰＵ部３４とで来訪者がシャッター錠２４を解除させることができる人物又は門扉錠７を解除させることができる人物であるかを確認する。
【００５３】
例えば、ホームサーバー３１は、インターネット３７を介して宅配業者サーバー３８と交信して宅配業者サーバー３８が保有するデータと照合し、ＩＤカードの情報と一致するか確認する。すなわち、来訪した宅配業者が宅配会社の社員であって宅配業務に携わる者本人であるかを確認する。来訪した宅配業者が宅配会社の社員であって宅配業務に携わる者本人であれば、その宅配業者はシャッター錠２４を解除させることができる人物又は門扉錠７を解除させることができる人物である。
【００５４】
来訪した宅配業者が宅配会社の社員であって宅配業務に携わる者本人であることが確認された場合、ホームサーバー３１は門扉錠７を解除する指令を出す。来訪した宅配業者が宅配会社の社員であって宅配業務に携わる者本人であることが確認されない場合は、ホームサーバー３１は門扉錠７を解除する指令を出さない。
【００５５】
なお、荷物の配送が多い宅配業者についての情報は予めホームサーバー３１の記憶部３３に登録しておき、記憶部３３に登録された情報でＩＤカードの照合をするようにしてもよい。このようにすることにより、荷物の配送が多い宅配業者については宅配業者サーバー３８と交信せずにＩＤカードの照合を行うことができる。
【００５６】
また、来訪者がテンキー５で入力した暗証番号が、予め住宅の居住者が入力部４３で設定した暗証番号と同一であるかをホームサーバー３１のＣＰＵ部３４が判断し、来訪者が門扉錠７を解除させることができる人物のものであるかを判断する。来訪者が門扉錠７を解除させることができる人物であることが確認された場合、ホームサーバー３８は門扉錠７を解除する指令を出す。来訪者が門扉錠７を解除させることができる人物であることが確認されない場合は、ホームサーバー３８は門扉錠７を解除する指令を出さない。
【００５７】
また、ホームサーバー３１の通信手段３５は、ＣＰＵ部３４とで取得された玄関ボックス１１のＴＶカメラ１２の映像及びカード差し込みスロット３、１４に差し込まれたＩＤカードに関する情報をインターネット３７を経由してデスクコンピュータ４０に送る。そして、その情報についての外出先等の居住者がデスクコンピュータ４０で入力した指令を通信手段３５は受信する。この指令を参照してＣＰＵ部３４は来訪者がシャッター錠２４を解除させることができる人物であるかを確認する。
【００５８】
通信手段３５はインターネット３７のプロバイダー４１と接続される。なお、住宅の敷地内の管理システムであるホームサーバー３１運営のコストを低く抑えるために、通信手段３５はプロバイダー４１と接続される構成とするが、かかる構成に限定されるものではなく、ホームサーバー３１にインターネットサーバーを含む構成としてもよい。また、本例ホームサーバー３１では、通信手段３５がホームサーバー３１に含まれる構成としているが、これに限定されるものでなく、ホームサーバー３１の外部に設ける構成としてもよい。
【００５９】
電話回線３６は、電話回線制御インターフェース４２に制御され、ＣＰＵ部３４の命令に応じ、ＰＨＳ３９に電話をかける。ＰＨＳ３９が通話状態になった時は、来訪者が住居に来訪した旨のメッセージを伝える。宅配業者サーバー３８は、宅配会社の社員であって宅配業務に携わる者のＩＤカードに関する情報を有する。
【００６０】
ＰＨＳ３９は、居住者が外出する時、庭先に出る時、玄関先まで移動することができない作業をする時等に携帯される。本例では電話回線３６が呼び出す電話としてＰＨＳ３９を用いるが、これに限定されるものでなく、携帯電話、オフィスに備え付けられた電話、アナログ電話を用いてもよい。また、通話できる機能を有するデスクコンピュータ４０、モバイルコンピュータ、パームトップ等を用いることもできる。その場合は、居住者が外出先等で用いる電話番号をＣＰＵ部３４に登録する。デスクコンピュータ４０は、居住者の外出先等に備えられ、インターネット３７を経由して通信手段３５のホームページにアクセスできる。
【００６１】
本例に係る物品類受け取り装置では、ＰＨＳ３９を用いたルートとデスクコンピュータ４０を用いたインターネット３７を経由するルートという、二つのルートで情報を送受信することとしている。これは、来訪者等の映像を別途インターネット３７を経由して送信する構成とすることにより、映像を送信することはできないが小型であるＰＨＳ３９等の通信機器を来訪者来訪の通知に用いることができるからである。つまり、ＰＨＳ３９等の小型の通信機器は居住者が携帯しやすいため、ホームサーバー３１からの情報の発信を受け取ることができる可能性を高くすることができるからである。
【００６２】
以上の様に、インターネット３７を経由して玄関ボックス１１のＴＶカメラ１２の映像及びカード差し込みスロット３、１４に差し込まれたＩＤカードに関する情報、テンキー１の暗証番号入力に関する情報等を外出先の居住者が取り出せる構成とすることにより、外出先にインターネット端末、パソコン、タッチパネル等さえあれば外出先の居住者は物品類受け取り装置を遠隔操作することができる。従って、汎用性のある装置を用いて遠隔操作することができるので、物品類受け取り装置を操作するために特別な装置を外出先に設置する必要がない。
【００６３】
以下、来訪者が門扉ボックス１に働きかけた時の、物品類受け取り装置の動作を示す。ステップＳ１でフローがスタートする。ステップＳ２で液晶表示部２に在宅表示がされる。ステップＳ３で不在表示スイッチオンか判断される。不在表示スイッチオンされている場合（Ｓ３：ＹＥＳ）、ステップＳ４で液晶表示部２に不在表示がされる。不在表示スイッチオンされていない場合（Ｓ３：ＮＯ）、ステップＳ２に戻り、液晶表示部２に在宅表示がされた状態が維持される。
【００６４】
ステップＳ４で液晶表示部２に不在表示がされると、ステップＳ５でカード差込スロット３にカードが差し込まれたか判断される。カード差込スロット３にカードが差し込まれた場合（Ｓ５：ＹＥＳ）、ステップＳ６でカードのＩＤ番号を読み取る。
【００６５】
ステップＳ５でカード差込スロット３にカードが差し込まれていない場合（Ｓ５：ＮＯ）、ステップＳ１４でテンキー５で暗証番号が入力されたか判断される。テンキー５で暗証番号が入力された場合（Ｓ５：ＮＯ，Ｓ１４：ＹＥＳ）、ステップＳ１５で入力された暗証番号が正しいか判断される。入力された暗証番号が正しい場合（Ｓ５：ＮＯ，Ｓ１４：ＹＥＳ，Ｓ１５：ＹＥＳ）、ステップＳ１０でキー解除ボタン４が押されたか判断される。ステップＳ１５で入力された暗証番号が正しくない場合（Ｓ５：ＮＯ，Ｓ１４：ＹＥＳ，Ｓ１５：ＮＯ）、ステップＳ１６で暗証番号の入力が３回以下か判断される。ステップＳ１６で暗証番号の入力が３回以下である場合（Ｓ５：ＮＯ，Ｓ１４：ＹＥＳ，Ｓ１５：ＮＯ，Ｓ１６：ＹＥＳ）、すなわち暗証番号の入力が１回目、２回目、３回目である場合は暗証番号の入力ミスであるとしてステップＳ１７で液晶表示部２に暗証番号間違いの表示がされた後、ステップＳ１５に戻る。
【００６６】
ステップＳ１６で暗証番号の入力が３回以下でない場合（Ｓ５：ＮＯ，Ｓ１４：ＹＥＳ，Ｓ１５：ＮＯ，Ｓ１６：ＮＯ）、すなわち暗証番号の入力が４回目である場合は暗証番号を知らない者が門扉錠７を解除しようとしているものとしてステップＳ１８でフローが終了する。ステップＳ１４でテンキー５で暗証番号が入力されていない場合（Ｓ５：ＮＯ，Ｓ１４：ＮＯ）、ステップＳ１８でフローが終了する。
【００６７】
ステップＳ６でカードのＩＤ番号を読み取ると、ステップＳ７でカードが特定宅配業者の発行したものか判断される。カードが特定宅配業者の発行したものである場合（Ｓ７：ＹＥＳ）、ステップＳ８でホームサーバー３１が宅配業者のサーバーと交信する。カードが特定宅配業者が発行したものでない場合（Ｓ７：ＮＯ）、ステップＳ１２でカードがスロットに入っているか判断される。
【００６８】
ステップＳ８でホームサーバー３１が宅配業者のサーバーと交信すると、ステップＳ９でカードが社員本人のものか判断される。カードが社員本人のものである場合（Ｓ９：ＹＥＳ）、ステップＳ１０でキー解除ボタンが押されたか判断される。カードが社員本人のものでない場合（Ｓ９：ＮＯ）、ステップＳ１２でカード差込スロット３にカードが入っているか判断される。ステップＳ１０でキー解除ボタンが押された場合（Ｓ１０：ＹＥＳ）、ステップＳ１１で門扉の錠７が解除される。キー解除ボタンが押されていない場合（Ｓ１０：ＮＯ）、液晶表示部２に「キー解除ボタンを押して下さい」という表示をしてステップＳ１０を繰り返す。このとき、液晶表示部２に表示をするとともに警告音を発するようにしてもよい。すなわち、キー解除ボタンが押されるまで次のステップ１１を保留する。ステップＳ１１で門扉の錠が解除されると、ステップＳ１２でカードがカード差込スロット３に入っているか判断される。
【００６９】
カードがカード差込スロット３に入っている場合（Ｓ１２：ＹＥＳ）、ステップＳ１３でカードが返却された後、ステップＳ１８でフローが終了する。カードが入っていない場合（Ｓ１２：ＮＯ）、ステップＳ１８でフローが終了する。
【００７０】
以下、来訪者が玄関ボックス１１に働きかけた時の、物品類受け取り装置の動作を示す。ステップＳ１０１でフローがスタートする。ステップＳ１０２でカード差込スロット１４にカードが差し込まれたか判断する。カードが差し込まれた場合（Ｓ１０２：ＹＥＳ）、ステップＳ１０３で電話回線３６がＰＨＳ３９を呼び出す。本例ではステップＳ１０３で外出先の居住者に来訪者の来訪を知らせる構成とするが、これに限定されるものでなく、来訪者が門扉ボックス１のカード差込スロット３にカードを差し込んだときに電話回線３６がＰＨＳ３９を呼び出すように構成しても良い。ステップＳ１０２でカードが差し込まれていない場合（Ｓ１０２：ＮＯ）、ステップＳ１０２を繰り返す。すなわち、カードが差し込まれるまで次のステップＳ１０３を保留する。
【００７１】
ステップＳ１０３で電話回線３６がＰＨＳ３９を呼び出すと、ステップＳ１０４で来訪者が特定宅配会社の社員本人であるという情報、来訪者の映像を発信する。その後、ステップＳ１０５でシャッター錠２４解除の指示がされたか判断される。シャッター錠２４解除の指示がされた場合（Ｓ１０５：ＹＥＳ）、すなわち本例では外出中の居住者がデスクコンピュータ４０の画面上でシャッター錠２４解除ボタンをクリックした場合、ステップＳ１０８でシャッター錠２４を解除する。シャッター錠２４解除の指示がされない場合（Ｓ１０５：ＮＯ）、ステップＳ１０６でフロー強制終了の指示がされたか判断される。ステップＳ１０６でフロー強制終了の指示がされた場合（Ｓ１０５：ＮＯ，Ｓ１０６：ＹＥＳ）、図６のＢに進み、ステップＳ１２９でカードが返却される。
【００７２】
ステップＳ１０６でフロー強制終了の指示がされない場合（Ｓ１０５：ＮＯ，Ｓ１０６：ＮＯ）、ステップＳ１０７でシャッター錠２４解除の指示を要求する指令を発信した後、ステップＳ１０５に戻る。
【００７３】
ステップＳ１０８でシャッター錠２４が解除されると、ステップＳ１０９でシャッター内に荷物が置かれたか判断される。荷物が置かれた場合（Ｓ１０９：ＹＥＳ）、図６のＡに進み、ステップＳ１１４でシャッターが閉められたか判断する。ステップＳ１０９で荷物が置かれていない場合（Ｓ１０９：ＮＯ）、ステップ１１０でシャッター錠を解除してから所定時間、本例では１分が経過したか判断される。ステップ１１０で所定時間が経過していない場合（Ｓ１０９：ＮＯ，Ｓ１１０：ＮＯ）、ステップ１０９に戻る。ステップ１１０で所定時間が経過している場合（Ｓ１０９：ＮＯ，Ｓ１１０：ＹＥＳ）、来訪者が所定の場所と異なる場所に荷物を置いているか、荷物を置き忘れているものとして、ステップ１１１で、報知装置が警告音を発し、液晶表示部１３で来訪者に荷物を置くように指令する。その後、ステップＳ１１２で所定時間、本例ではシャッター１８の錠２４を解除した時から２分が経過したか判断される。
【００７４】
所定時間が経過した場合（Ｓ１１２：ＹＥＳ）、荷物をシャッター１８内部に置く意思がないものと判断して、センサーで安全確認をした上でステップ１１３でシャッターを強制的に閉める。その後図６のＢに進み、ステップＳ１２９でカードを返却する。ステップＳ１１２で所定時間が経過していない場合（Ｓ１１２：ＮＯ）、ステップＳ１０９に戻る。
【００７５】
ステップＳ１１４ではシャッターが閉められたか判断される。シャッターが閉められた場合（Ｓ１１４：ＹＥＳ）、ステップＳ１１９で通信手段３５から荷物を受領した旨の情報を発信する。ステップＳ１１４でシャッターが閉められていない場合（Ｓ１１４：ＮＯ）、ステップ１１５で来訪者が荷物を置いてから所定時間、本例では２分が経過したか判断される。所定時間が経過していない場合（Ｓ１１４：ＮＯ，Ｓ１１５：ＮＯ）、ステップＳ１１４に戻る。所定時間が経過している場合（Ｓ１１４：ＮＯ，Ｓ１１５：ＹＥＳ）、来訪者がシャッターを閉め忘れているものとして、ステップＳ１１６で報知装置２１が警告音を発し、液晶表示部１３で来訪者にシャッターを閉めるように指令を出す。その後、ステップＳ１１７で所定時間、本例では来訪者が荷物を置いてから５分が経過したか判断する。
【００７６】
所定時間が経過している場合（Ｓ１１７：ＹＥＳ）、来訪者がシャッター１８を閉め忘れているものとして、センサーで安全確認をした上で、ステップＳ１１８でシャッター１８を強制的に閉める。その後図６のＢに進み、ステップＳ１２９でカードを返却する。ステップＳ１１７で所定時間が経過していない場合（Ｓ１１７：ＮＯ）、ステップＳ１１４に戻る。
【００７７】
ステップＳ１１９で通信手段３５から荷物を受領した旨の情報を発信すると、ステップＳ１２０で外出中の居住者が受領ボタンをクリックしたか判断される。受領ボタンをクリックした場合（Ｓ１２０：ＹＥＳ）、ステップＳ１２７で宅配業者のカードに荷物受領確認のデータを登録する。
【００７８】
ステップＳ１２０で受領ボタンをクリックしていない場合（Ｓ１２０：ＮＯ）、ステップＳ１２１で外出中の居住者に対し受領ボタンのクリック指令を発信する。その後ステップＳ１２２で所定時間が経過したか判断される。所定時間、本例では荷物を受領した旨の情報を発信してから２分が経過した場合（Ｓ１２２：ＹＥＳ）、または外出先の居住者が荷物を受領拒否のボタンをクリックした場合には、外出中の居住者が荷物を受領できないと判断しているか、受領ボタンをクリックすることを忘れているものとして、ステップＳ１２３で液晶表示部１３に来訪者に対し受領登録できない旨のメッセージを表示すると共に、３分以内に荷物を取り除くことを求めるメッセージを表示する。その後ステップＳ１２４でシャッター錠２４を解除しステップＳ１２５で所定時間、本例ではシャッター錠２４を解除してから４分が経過したか判断される。
【００７９】
所定時間が経過した場合（Ｓ１２５：ＹＥＳ）、来訪者が荷物を倉庫から搬出するのに充分な時間が経過したとして、センサーで安全確認の上、ステップＳ１２６でシャッターを強制的に閉める。ステップＳ１２５で所定時間が経過していない場合（Ｓ１２５：ＮＯ）、ステップＳ１２５を繰り返す。すなわち、所定時間が経過するまで次のステップＳ１２６を保留する。ステップＳ１２６でシャッターを強制的に閉めた後、ステップＳ１２９でカードを返却する。ステップＳ１２２で所定時間が経過していない場合（Ｓ１２２：ＮＯ）、ステップＳ１２０に戻る。
【００８０】
ステップＳ１２７で宅配業者のカードに荷物受領確認のデータを登録すると、ステップＳ１２８で液晶表示部１３に来訪者に荷物を受領した旨のメッセージを表示する。その後ステップＳ１２９でカードを返却し、ステップＳ１３０でフローが終了する。
【００８１】
【発明の効果】
以上のように本発明によれば、物品類収納手段が門扉及び塀に囲まれた場所に設けられる場合に、住宅の居住者が外出中等であって来訪者に応対することができない場合であっても、第三者によるいたずら等を排除して、居住者が門扉及び塀の内側に入れたい来訪者のみを門扉及び塀の内側に入れることができる。
また、請求項２に係る発明によれば、ホームサーバーに来訪者が所定の団体の構成員であるかを確認する情報さえプログラムされていれば、ＩＤカードが物品類収納手段の扉の錠を解除させることができる人物又は門扉の錠を解除させることができる人物のものかは所定の団体のサーバーと交信することにより照合できるので、ホームサーバーは物品類収納手段の扉の錠を解除させることができる人物又は門扉の錠を解除させることができる人物の多くを認識できることとなる。
【図面の簡単な説明】
【図１】住居に設置された本発明の一実施例に係る物品類受け取り装置を示す説明図である。
【図２】本発明の一実施例に係る物品類受け取り装置の構成を示すブロック図である。
【図３】本発明の一実施例に係る物品類受け取り装置を構成する門扉ボックス（ａ）及び玄関ボックス（ｂ）の外観を示す説明図である。
【図４】来訪者が門扉ボックスに働きかけた時の、本発明の一実施例に係る物品類受け取り装置の動作を示すフローチャートである。
【図５】来訪者が玄関ボックスに働きかけた時の、本発明の一実施例に係る物品類受け取り装置の動作を示すフローチャートの前半部分である。
【図６】来訪者が玄関ボックスに働きかけた時の、本発明の一実施例に係る物品類受け取り装置の動作を示すフローチャートの後半部分である。
【符号の説明】
１  門扉ボックス
２  液晶表示部
３  カード差込スロット
４  キー解除ボタン
５  テンキー
６  門扉
７  門扉錠
８  家屋
９  塀
１１  玄関ボックス
１２  ＴＶカメラ
１３  液晶表示部
１４  カード差込スロット
１５  インターホン
１６  ドアホンボタン
１７  スピーカーマイク
１８  シャッター
１９  玄関
２０  不在表示スイッチ
２１  報知装置
２２  シャッター開閉検出センサー
２３  物品検出センサー
２４  シャッター錠
３１  ホームサーバー
３２  制御インターフェース
３３  記憶部
３４  ＣＰＵ部
３５  通信手段
３６  電話回線
３７  インターネット
３８  宅配業者サーバー
３９  ＰＨＳ
４０  デスクコンピュータ
４１  プロバイダー
４２  電話回線制御インターフェース
４３  入力部
４４  ダイヤル発信部
４５  音声合成部
４６  回線制御部
４７  タイマー
【図１】
0004282789.tif 000002
【図２】
0004282789.tif 000003
【図３】
0004282789.tif 000004
【図４】
0004282789.tif 000005
【図５】
0004282789.tif 000006
【図６】
0004282789.tif 000007